(57)【特許請求の範囲】
【請求項１】
イメージング用の磁気共鳴信号の収集タイミングにおいて傾斜磁場モーメントをゼロにする、若しくはゼロに近づけるための補償傾斜磁場であって、前記イメージング用の磁気共鳴信号の読み出し方向に印加される補償傾斜磁場の波形を設定する波形設定手段と、
励起パルスの印加に続いて前記波形設定手段により設定された補償傾斜磁場を含む傾斜磁場を前記読み出し方向に印加することによって前記イメージング用の磁気共鳴信号を収集し、収集された前記イメージング用の磁気共鳴信号に基づいて画像データを生成するイメージング手段と、
を備え、
前記波形設定手段は、前記イメージング用の傾斜磁場の印加期間に対する比率が異なる複数の印加期間から前記補償傾斜磁場の印加期間を選択可能である、
磁気共鳴イメージング装置。
【請求項２】
前記イメージング用の傾斜磁場の印加期間に対する比率が異なる複数の前記補償傾斜磁場の印加期間は、それぞれ、前記イメージング用の傾斜磁場のパルスの面積と前記補償傾斜磁場のパルスの面積とが等しくなるように設定される、
請求項１に記載の磁気共鳴イメージング装置。
【請求項３】
前記イメージング用の傾斜磁場の印加期間に対する比率が異なる複数の前記補償傾斜磁場の印加期間は、それぞれ、前記イメージング用の傾斜磁場のパルスの印加時間と強度の積と、前記補償傾斜磁場のパルスの印加時間と強度の積とが等しくなるように設定される、
請求項１または２に記載の磁気共鳴イメージング装置。
【請求項４】
前記補償傾斜磁場の波形は、
励起パルスの印加に続いて読み出し方向に連続的に印加されたイメージング用の傾斜磁場により収集された複数の磁気共鳴信号の位相差であって、撮像部位におけるフロー及び動きの少なくとも一方の度合いに依存して変化する前記複数の磁気共鳴信号の位相差の情報、に基づいて設定される、
請求項１ないし３のうちいずれか１項に記載の磁気共鳴イメージング装置。
【請求項５】
前記補償傾斜磁場の波形は、
励起パルスの印加に続いて読み出し方向に連続的に印加されたイメージング用の傾斜磁場により収集された複数の磁気共鳴信号の位相差と関連性を有する、撮像パラメータ、強調対象の種類、強調対象の速度範囲及び撮像目的の少なくとも１つに基づいて設定される、
請求項１ないし４のうちいずれか１項に記載の磁気共鳴イメージング装置。
【発明の詳細な説明】
【技術分野】
【０００１】
本発明の実施形態は、磁気共鳴イメージング(MRI: Magnetic Resonance Imaging)装置に関する。
【背景技術】
【０００２】
MRIは、静磁場中に置かれた被検体の原子核スピンをラーモア周波数の高周波(RF: radio frequency)信号で磁気的に励起し、この励起に伴って発生する核磁気共鳴(NMR: nuclear magnetic resonance)信号から画像を再構成する撮像法である。
【０００３】
このMRIの分野においる高速撮像法の１つに、エコープラナーイメージング(EPI: echo planar imaging)と呼ばれる撮像法がある。EPIは、１回の核磁気励起に対して傾斜磁場を高速で連続的に反転させ、連続的にエコーを生じさせてスキャンを行うものである。
【０００４】
より具体的には、EPIでは、90°励起パルスを印加した後、xy平面内の磁化が横緩和(T2緩和)により減衰して消滅する前に位相エンコード(PE: phase encode)のステップに合わせて読出し(RO: readout)用傾斜磁場が繰返し高速で反転させて印加される。これにより、連続的なグラジエントエコーが発生し、画像再構成に必要な全てのデータを収集することができる。
【０００５】
EPIには、90°励起パルスおよび180°励起パルスの後に発生するスピンエコー信号を収集するスピンエコー法(SE: spin echo)を用いたSE EPIと90°励起パルスの印加後に発生するエコー信号を収集するフィールドエコー法(FE: field echo)を用いたFE EPIやFFE (Fast FE)法を用いたFFE EPIがある。また、複数回に亘る90°励起パルスを印加して得られるエコートレインのデータを合わせて１枚分の画像データを作成するEPIがマルチショットEPIと呼ばれるのに対して、１回の励起パルスの印加のみで画像を再構成するEPIは、シングルショット(SS: single shot) EPIと呼ばれる。
【０００６】
一方、首などの血流の影響を受ける撮像部位の撮像を行う場合に、血液の流れの影響によって生じるMR信号の位相ずれを補正するためにフロー補償(FC: flow compensation)傾斜磁場パルスを印加する技術が知られている。すなわちFC傾斜磁場パルスの印加によって、血液の他、脳脊髄液(CSF: cerebrospinal fluid)等の流体の流れや呼吸等の動きによって生じる位相ずれをキャンセルすることができる。
【先行技術文献】
【特許文献】
【０００７】
【特許文献１】特開２０００−３２５３２７号公報
【発明の概要】
【発明が解決しようとする課題】
【０００８】
しかしながら、3D-FEシーケンスにおいて、コントラスト及びSNR (signal to noise ratio)を改善するためにTRを延長してマルチエコー収集を行うと、撮像時間が増加するという問題がある。
【０００９】
一方、3D-FE EPIシーケンスでマルチエコー収集を行えば、高速撮像を行うことが可能であるが、EPIシーケンスでは正極及び負極の双方の極性を有するエコー信号が収集される。このため、フローや動きが存在すると、フローや動きに起因してMR信号の位相ずれが増加し、画質が劣化するという問題がある。
【００１０】
そこで、本発明は、フローや動きの有無に依らず良好な画質を維持し、かつ短時間でイメージングを行うことが可能な磁気共鳴イメージング装置を提供することを目的とする。
【課題を解決するための手段】
【００１１】
本発明の実施形態に係る磁気共鳴イメージング装置は、波形設定手段及びイメージング手段を備える。波形設定手段は、イメージング用の磁気共鳴信号の収集タイミングにおいて傾斜磁場モーメントをゼロにする、若しくはゼロに近づけるための補償傾斜磁場であって、前記イメージング用の磁気共鳴信号の読み出し方向に印加される補償傾斜磁場の波形を設定する。イメージング手段は、励起パルスの印加に続いて前記波形設定手段により設定された補償傾斜磁場を含む傾斜磁場を前記読み出し方向に印加することによって前記イメージング用の磁気共鳴信号を収集し、収集された前記イメージング用の磁気共鳴信号に基づいて画像データを生成する。前記波形設定手段は、前記イメージング用の傾斜磁場の印加期間に対する比率が異なる複数の印加期間から前記補償傾斜磁場の印加期間を選択可能である。
【図面の簡単な説明】
【００１２】
【図１】本発明の実施形態に係る磁気共鳴イメージング装置の構成図。
【図２】図１に示すコンピュータの機能ブロック図。
【図３】図２に示す撮像条件設定部において設定されるパルスシーケンス及び傾斜磁場波形選択部において選択されるRO方向における傾斜磁場の波形の選択肢の一例を示す図。
【図４】図２に示すプレスキャン条件設定部において設定されるプレスキャン用の撮像条件の一例を示す図。
【図５】図１に示す磁気共鳴イメージング装置によるイメージングの流れを示すフローチャート。
【発明を実施するための形態】
【００１３】
本発明の実施形態に係る磁気共鳴イメージング装置について添付図面を参照して説明する。
【００１４】
図１は本発明の実施形態に係る磁気共鳴イメージング装置の構成図である。
【００１５】
磁気共鳴イメージング装置２０は、静磁場を形成する筒状の静磁場用磁石２１、この静磁場用磁石２１の内部に設けられたシムコイル２２、傾斜磁場コイル２３及びRFコイル２４を備えている。
【００１６】
また、磁気共鳴イメージング装置２０には、制御系２５が備えられる。制御系２５は、静磁場電源２６、傾斜磁場電源２７、シムコイル電源２８、送信器２９、受信器３０、シーケンスコントローラ３１及びコンピュータ３２を具備している。制御系２５の傾斜磁場電源２７は、Ｘ軸傾斜磁場電源２７ｘ、Ｙ軸傾斜磁場電源２７ｙ及びＺ軸傾斜磁場電源２７ｚで構成される。また、コンピュータ３２には、入力装置３３、表示装置３４、演算装置３５及び記憶装置３６が備えられる。
【００１７】
静磁場用磁石２１は静磁場電源２６と接続され、静磁場電源２６から供給された電流により撮像領域に静磁場を形成させる機能を有する。尚、静磁場用磁石２１は超伝導コイルで構成される場合が多く、励磁の際に静磁場電源２６と接続されて電流が供給されるが、一旦励磁された後は非接続状態とされるのが一般的である。また、静磁場用磁石２１を永久磁石で構成し、静磁場電源２６が設けられない場合もある。
【００１８】
また、静磁場用磁石２１の内側には、同軸上に筒状のシムコイル２２が設けられる。シムコイル２２はシムコイル電源２８と接続され、シムコイル電源２８からシムコイル２２に電流が供給されて静磁場が均一化されるように構成される。
【００１９】
傾斜磁場コイル２３は、Ｘ軸傾斜磁場コイル２３ｘ、Ｙ軸傾斜磁場コイル２３ｙ及びＺ軸傾斜磁場コイル２３ｚで構成され、静磁場用磁石２１の内部において筒状に形成される。傾斜磁場コイル２３の内側には寝台３７が設けられて撮像領域とされ、寝台３７には被検体Ｐがセットされる。RFコイル２４にはガントリに内蔵されたRF信号の送受信用の全身用コイル(WBC: whole body coil)や寝台３７や被検体Ｐ近傍に設けられるRF信号の受信用の局所コイルなどがある。
【００２０】
また、傾斜磁場コイル２３は、傾斜磁場電源２７と接続される。傾斜磁場コイル２３のＸ軸傾斜磁場コイル２３ｘ、Ｙ軸傾斜磁場コイル２３ｙ及びＺ軸傾斜磁場コイル２３ｚはそれぞれ、傾斜磁場電源２７のＸ軸傾斜磁場電源２７ｘ、Ｙ軸傾斜磁場電源２７ｙ及びＺ軸傾斜磁場電源２７ｚと接続される。
【００２１】
そして、Ｘ軸傾斜磁場電源２７ｘ、Ｙ軸傾斜磁場電源２７ｙ及びＺ軸傾斜磁場電源２７ｚからそれぞれＸ軸傾斜磁場コイル２３ｘ、Ｙ軸傾斜磁場コイル２３ｙ及びＺ軸傾斜磁場コイル２３ｚに供給された電流により、撮像領域にそれぞれＸ軸方向の傾斜磁場Ｇｘ、Ｙ軸方向の傾斜磁場Ｇｙ、Ｚ軸方向の傾斜磁場Ｇｚを形成することができるように構成される。
【００２２】
RFコイル２４は、送信器２９及び受信器３０の少なくとも一方と接続される。送信用のRFコイル２４は、送信器２９からRF信号を受けて被検体Ｐに送信する機能を有し、受信用のRFコイル２４は、被検体Ｐ内部の原子核スピンのRF信号による励起に伴って発生したNMR信号を受信して受信器３０に与える機能を有する。
【００２３】
一方、制御系２５のシーケンスコントローラ３１は、傾斜磁場電源２７、送信器２９及び受信器３０と接続される。シーケンスコントローラ３１は傾斜磁場電源２７、送信器２９及び受信器３０を駆動させるために必要な制御情報、例えば傾斜磁場電源２７に印加すべきパルス電流の強度や印加時間、印加タイミング等の動作制御情報を記述したシーケンス情報を記憶する機能と、記憶した所定のシーケンスに従って傾斜磁場電源２７、送信器２９及び受信器３０を駆動させることによりＸ軸傾斜磁場Ｇｘ、Ｙ軸傾斜磁場Ｇｙ，Ｚ軸傾斜磁場Ｇｚ及びRF信号を発生させる機能を有する。
【００２４】
また、シーケンスコントローラ３１は、受信器３０におけるNMR信号の検波及びA/D (analog to digital)変換により得られた複素データである生データ(raw data)を受けてコンピュータ３２に与えるように構成される。
【００２５】
このため、送信器２９には、シーケンスコントローラ３１から受けた制御情報に基づいてRF信号をRFコイル２４に与える機能が備えられる一方、受信器３０には、RFコイル２４から受けたNMR信号を検波して所要の信号処理を実行するとともにＡ／Ｄ変換することにより、デジタル化された複素データである生データを生成する機能と生成した生データをシーケンスコントローラ３１に与える機能とが備えられる。
【００２６】
さらに、磁気共鳴イメージング装置２０には、必要に応じて被検体ＰのECG (electro cardiogram)信号を取得するECGユニット３８が備えられる。ECGユニット３８により取得されたECG信号はシーケンスコントローラ３１を介してコンピュータ３２に出力されるように構成される。
【００２７】
尚、拍動を心拍情報として表すECG信号の代わりに拍動を脈波情報として表す脈波同期(PPG: peripheral pulse gating)信号を取得することもできる。PPG信号は、例えば指先の脈波を光信号として検出した信号である。PPG信号を取得する場合には、PPG信号検出ユニットが設けられる。
【００２８】
また、コンピュータ３２の記憶装置３６に保存されたプログラムを演算装置３５で実行することにより、コンピュータ３２には各種機能が備えられる。ただし、プログラムの少なくとも一部に代えて、各種機能を有する特定の回路を磁気共鳴イメージング装置２０に設けてもよい。
【００２９】
図２は、図１に示すコンピュータ３２の機能ブロック図である。
【００３０】
コンピュータ３２の演算装置３５は、記憶装置３６に保存されたプログラムを実行することにより撮像条件設定部４０及びデータ処理部４１として機能する。撮像条件設定部４０は、傾斜磁場波形選択部４０Ａ、プレスキャン条件設定部４０Ｂ及び位相差取得部４０Ｃを有する。また、記憶装置３６は、ｋ空間データ記憶部４２、画像データ記憶部４３及び傾斜磁場波形記憶部４４として機能する。
【００３１】
撮像条件設定部４０は、入力装置３３からの指示情報に基づいてマルチエコーデータ収集用のパルスシーケンスを含む撮像条件を設定し、設定した撮像条件をシーケンスコントローラ３１に出力する機能を有する。より具体的には、撮像条件設定部４０は、励起パルスの印加に続いて読出し(RO: readout)方向への所定の波形を有する傾斜磁場パルスの印加を周期的に繰返すことによって、連続的に複数のMRエコー信号を収集するシーケンスを設定する機能を備えている。
【００３２】
傾斜磁場波形選択部４０Ａは、予め励起パルスの印加に続いて連続的に収集された複数のMRエコー信号の位相差情報又は励起パルスの印加に続いて連続的に収集されるイメージング用の複数のMRエコー信号の位相差に影響を与える条件に基づいて、イメージング用の複数のMRエコー信号のRO方向に繰返し印加される傾斜磁場パルスの波形を、複数のMRエコー信号の位相差情報又はイメージング用の複数のMRエコー信号の位相差に影響を与える条件に対応する適切な波形に設定する機能を有する。
【００３３】
RO用傾斜磁場のスイッチングによって発生させるMRマルチエコー信号間の位相差は、主として撮像部位におけるフローや動きの度合いに依存して変化する。すなわち、撮像部位に血液等の流速の速いフローが存在すればMR信号の位相差は大きくなる。一方、撮像部位が静止していれば、MR信号の位相差は小さくなる。従って、撮像部位は、MR信号の位相差に影響を与える条件の１つである。
【００３４】
但し、撮像部位に血流等のフローや動きが存在しても描出対象が静止している組織や器官であれば、撮像パラメータの調整によってフローや動きのある部分からのMR信号を抑制することができる。この場合には、撮像部位にフローや動きが存在してもイメージング用に収集されるMR信号の位相差への影響は低減される。つまり、撮像部位よりもむしろイメージング用のMR信号の収集対象の速度がMR信号の位相差に支配的となる場合がある。従って、血液や組織等の強調対象となる物質の種類、強調対象となる物質の想定される速度範囲及び撮像目的もMR信号の位相差に影響を与える重要なファクタとなる。
【００３５】
加えて、描出対象及び撮像目的に応じて決定されるRO用傾斜磁場のスイッチングによって発生させるエコー信号列の間隔(ETS: echo train space)、フリップ角(FA: flip angle)、繰返し時間(TR: repetition time)、エコー時間(TE: echo time)、プレパルスの種類等の撮像パラメータにも依存してMR信号の位相差が変化する。従って、撮像パラメータもMR信号の位相差に影響を与える条件の１つである。
【００３６】
以上より、イメージング用の複数のMRエコー信号の位相差に影響を与える条件としては、撮像パラメータ、撮像部位、強調対象となる物質の種類、強調対象の速度範囲等の撮像条件並びに撮像目的が挙げられる。従って、撮像パラメータ、撮像部位、強調対象の種類、強調対象の速度範囲及び撮像目的の少なくとも１つをイメージング用の複数のMRエコー信号の位相差に影響を与える条件として、RO方向に繰返し印加される傾斜磁場パルスの波形を決定することができる。
【００３７】
RO方向に繰返し印加される傾斜磁場パルスの波形は、予め複数の選択肢として準備し、傾斜磁場波形記憶部４４に保存しておくことができる。すなわち、上述したようなMRエコー信号の位相差に影響を与える異なる複数の条件に対応する複数の適切な傾斜磁場パルスの波形を傾斜磁場波形記憶部４４に保存することができる。
【００３８】
従って、傾斜磁場波形選択部４０は、入力装置３３の操作によってイメージング用の撮像条件として指定されたMR信号の位相差に影響を与える条件に対応する適切な波形を、傾斜磁場波形記憶部４４に保存された傾斜磁場パルスの波形の選択肢から選択することによって、イメージング用の複数のMR信号のRO方向に印加される傾斜磁場パルスの波形を自動的に設定することができる。
【００３９】
図３は、図２に示す撮像条件設定部４０において設定されるパルスシーケンス及び傾斜磁場波形選択部４０Ａにおいて選択されるRO方向における傾斜磁場の波形の選択肢の一例を示す図である。
【００４０】
図３において横軸は時間を示す。図３において(A)はRO方向における傾斜磁場パルスの波形の選択肢の１つを組み込んで得られるEPIシーケンスを、(B), (C)及び(D)はそれぞれRO方向における傾斜磁場パルスの選択肢の１つを組み込んで得られるシーケンス(TUNE1, TUNE2及びTUNE3)を示す。
【００４１】
また、図３(A), (B), (C), (D)においてRFはRFパルス及びMRエコー信号を、Gssはスライス選択(SS: slice selection)方向における傾斜磁場パルスを、Gro1, Gro2及びGro3はRO方向における傾斜磁場パルスを、Gpeは位相エンコード(PE: phase encode) 方向における傾斜磁場パルスを、φはMRエコー信号の位相を、それぞれ示す。但し、図３(B), (C)及び(D)では、SS方向における傾斜磁場パルスGssが、図３(A)と同様であることから省略されている。
【００４２】
更に直線φ0は速度がゼロのMRエコー信号の位相変化を、曲線φ1は一定の速度で移動するMRエコー信号の位相変化を、それぞれ示す。従って、直線φ0はゼロ次の傾斜磁場モーメントの変化も表しており、曲線φ1は１次の傾斜磁場モーメントの変化も表している。
【００４３】
図３(A)は、励起パルスの印加に続いてRO方向に正極性のRO用傾斜磁場パルスと負極性のRO用傾斜磁場パルスを交互に繰返し印加することによって連続的にMRエコー信号を収集するシーケンスである。このシーケンスは、狭義のEPIシーケンスに相当する。狭義のEPIシーケンスを通常のEPIシーケンスと呼ぶことにすると、通常のEPIシーケンスは、RO方向に印加される傾斜磁場パルスが全てMR信号のRO用であるためデータ収集効率が良好である。また、RO用傾斜磁場パルスの長さの調整によって良好なSNRを得ることができる。
【００４４】
一方、通常のEPIシーケンスでは、正極側のRO用傾斜磁場パルスと負極側のRO用傾斜磁場パルスの双方によってMRエコー信号が収集される。このため、MRエコー信号の収集タイミングにおいて１次の傾斜磁場モーメントがゼロにならない。従って、フローや動き等によって無視できない速度でMR信号の収集対象が移動する場合には、移動する部分からのMRエコー信号の位相ずれが大きくなる。この結果、フローや動きの影響によって画像にアーチファクトが生じる恐れがある。
【００４５】
そこで、通常のEPIシーケンスを用いてフローや動きのある対象をイメージングする場合には、予めプレスキャンによって位相分布を測定し、測定した位相分布に基づいてMR信号の位相補正を行う等の対策が必要となる。
【００４６】
図３(B), (C)及び(D)に示すシーケンスは、いずれも励起パルスの印加に続いてRO方向に一方の極性を有するRO用傾斜磁場パルスを断続的に繰返し印加することによって連続的にMRエコー信号を収集するシーケンスである。従って、図３(B), (C)及び(D)に示すシーケンスは、広義のEPIシーケンスであると言うことができる。ここでは、一方の極性を有するRO用傾斜磁場パルスによってMRエコー信号を収集する広義のEPIシーケンスを片エコーEPIシーケンスと称する。
【００４７】
片エコーEPIシーケンスでは、隣接するRO用傾斜磁場パルスの間において、RO用傾斜磁場パルスの極性と異なる極性を有する傾斜磁場パルスがRO方向に印加される。このRO方向に断続的かつ繰返し印加されるRO用でない傾斜磁場パルスは、フローや動きの影響による位相シフトを低減するためのFC用傾斜磁場パルスGfcとして機能する。尚、FC用傾斜磁場パルスGfcの波形によっては、MRエコー信号が発生するがサンプリング対象としなければよい。
【００４８】
FC用傾斜磁場パルスGfcは、MRエコー信号の収集タイミングにおいて１次の傾斜磁場モーメントをゼロに近づけるための傾斜磁場パルスである。そのため、FC用傾斜磁場パルスGfcの波形を、フローや動きの速度に応じてチューニングすることができる。
【００４９】
但し、静止している物体からのMRエコー信号の位相を揃えて画像データを再構成できるようにするめには、MRエコー信号の収集タイミングにおいて０次の傾斜磁場モーメントをゼロにする必要がある。従って、FC用傾斜磁場パルスGfcの面積をRO用傾斜磁場パルスの面積と一致させる制御が必要である。つまり、RO用傾斜磁場パルスの面積と一致させつつ波形を変えるというFC用傾斜磁場パルスGfcのチューニングによって、MRエコー信号の収集タイミングにおける１次の傾斜磁場モーメントを調整することができる。
【００５０】
尚、０次、１次又は２次以上の傾斜磁場モーメントをゼロにする技術は、GMN (gradient moment nulling)と呼ばれる。０次の傾斜磁場モーメントは静止しているスピンの位相に対する傾斜磁場の効果を、１次の傾斜磁場モーメントは一定の速度で移動しているスピンの位相に対する傾斜磁場の効果を、２次の傾斜磁場モーメントは一定の加速度で移動しているスピンの位相に対する傾斜磁場の効果を、それぞれ示す。
【００５１】
図３(B), (C)及び(D)は、いずれも正極性のRO用傾斜磁場パルスを印加する一方、負極性のFC用傾斜磁場パルスGfcを印加する片エコーEPIシーケンスの例を示している。そして、図３(B), (C)及び(D)に示す片エコーEPIシーケンスは、FC用傾斜磁場パルスGfcの波形をそれぞれチューニングして得られるシーケンスのバリエーション(TUNE1, TUNE2, TUNE3)を示している。
【００５２】
図３(B)に示すTUNE1の片エコーEPIシーケンスは、FC用傾斜磁場パルスGfcの印加期間をRO用傾斜磁場パルスの印加期間の1/4に設定したシーケンスである。このTUNE1の片エコーEPIシーケンスでは、MRエコー信号の収集に寄与しないFC用傾斜磁場パルスGfcの印加期間が比較的短い。このため、MR信号の収集効率を向上させることができる。
【００５３】
但し、MRエコー信号の収集タイミングにおいて１次の傾斜磁場モーメントをゼロに近づける効果が小さい。従って、MRエコー信号の収集タイミングにおいて速度がゼロのMRエコー信号の位相φ0をゼロにすることはできるが、一定の速度で移動するMRエコー信号の位相φ1はゼロになっていない。一方、図３(A)に示す通常のEPIシーケンスと比べれば、フローや動きの影響によるMRエコー信号の位相ずれを低減させることができる。
【００５４】
従って、TUNE1の片エコーEPIシーケンスは、速度が比較的小さい対象からMRエコー信号を効率的に収集する場合に好適と考えられる。すなわち、MRエコー信号の収集対象の移動速度が十分に小さければ、MRエコー信号の位相補正を省略することができる。また、少なくとも図３(A)に示す通常のEPIシーケンスに比べれば、フローや動きの影響によるMR信号の位相ずれ及びMR信号の位相ずれに起因する画質劣化を低減することができる。
【００５５】
図３(C)に示すTUNE2の片エコーEPIシーケンスは、FC用傾斜磁場パルスGfcの印加期間をRO用傾斜磁場パルスの印加期間の1/2に設定したシーケンスである。このTUNE2の片エコーEPIシーケンスでは、１次の傾斜磁場モーメントをゼロに近づけるFC用傾斜磁場パルスGfcの効果を良好に発揮させることができる。
【００５６】
すなわち、FC用傾斜磁場パルスGfcの印加によって、MRエコー信号の収集タイミングにおいて０次の傾斜磁場モーメントのみならず、１次の傾斜磁場モーメントもゼロに近づけることができる。従って、MRエコー信号の収集タイミングにおいて速度がゼロのMRエコー信号の位相φ0とともに一定の速度で移動するMRエコー信号の位相φ1もゼロにすることができる。
【００５７】
従って、TUNE2の片エコーEPIシーケンスは、血液のフローが多い場合など速度が速い対象からMRエコー信号を収集する場合に好適と考えられる。すなわち、MRエコー信号の収集対象の移動速度が大きい場合であっても、FC用傾斜磁場パルスGfcによる位相シフトの抑制効果によって、フローや動きの影響によるMR信号の位相ずれ及びMR信号の位相ずれに起因する画質劣化を低減することができる。また、MRエコー信号の位相補正を省略することができる。
【００５８】
図３(D)に示すTUNE3の片エコーEPIシーケンスは、FC用傾斜磁場パルスGfcの波形をV字状にしたものである。このTUNE3の片エコーEPIシーケンスでは、他の片エコーEPIシーケンスに比べてMRエコー信号の時間的な時間効率を一層向上させることができる。加えて、RO用傾斜磁場パルスの印加期間を確保することができる。このため、SNRを向上させることができる。
【００５９】
従って、TUNE3の片エコーEPIシーケンスは、速度が比較的小さい対象をMRエコー信号の収集対象とし、特にSNR及びデータ収集効率を優先する場合に好適と考えられる。
【００６０】
また、図３(B), (C)及び(D)に例示される片エコーEPIシーケンスに限らず、様々なFC用傾斜磁場パルスGfcの波形を有する片エコーEPIシーケンスを選択肢として予め準備しておくことができる。FC用傾斜磁場パルスGfcの波形及びRO用傾斜磁場パルスの波形の組合せは、上述したようにRO方向に印加される傾斜磁場パルスの波形の選択肢として撮像条件及び撮像目的の一方又は双方と関連付けて傾斜磁場波形記憶部４４に保存することができる。
【００６１】
例えば、撮像部位が首であれば、血流の影響によるMR信号の位相ずれを抑制することが重要となる。従って、１次の傾斜磁場モーメントをゼロに近づける効果が良好となるTUNE2の傾斜磁場波形を、撮像部位を首とする撮像に適切な波形として関連付けることができる。同様に、血管をイメージングする磁気共鳴血管撮像 (MRA: magnetic resonance angiography)の場合も、血流の影響によるMR信号の位相ずれを抑制することが重要となる。従って、１次の傾斜磁場モーメントをゼロに近づける効果が良好となるTUNE2の傾斜磁場波形を、撮像目的がMRAである場合の適切な波形とすることができる。
【００６２】
一方、撮像領域に血流が存在する場合であっても、水抑制法や撮像パラメータの調整等によって血液からの信号を抑制して血液以外の実質部を強調する場合には、静止する部位がMR信号の収集対象となる。この場合、１次の傾斜磁場モーメントをゼロに近づける１次のGMNは重要ではない。換言すれば、FC用傾斜磁場パルスGfcの印加は重要ではない。従って、撮像部位が静止する部位である場合の適切な傾斜磁場の波形として通常のEPIシーケンスの波形を関連付けることができる。
【００６３】
具体例として、膝のイメージングを行う場合には、血流の影響を低減することが重要となる。そこで、TRの調整によって血液からのMR信号を抑制できれば、撮像部位及びMR信号の収集対象は、静止する物体とみなすことができる。この場合、血液からのMR信号を抑制するためのTRの値及び撮像部位を膝とする撮像条件に、適切な傾斜磁場の波形として通常のEPIシーケンスの波形を関連付けることができる。
【００６４】
逆に、膝のイメージングにおいて撮像パラメータの調整によっても血液からのMR信号を十分に抑制できない場合には、血流の影響を低減することが重要となる。そこで、膝における血流の速度に応じたFC用傾斜磁場パルスGfcの波形を、撮像部位を膝とする撮像条件に関連付けることもできる。
【００６５】
また、脊椎や骨盤部等の骨や関節には、殆どフローや動きがない。また、骨や関節を撮像部位とするDiffusion画像やPerfusion画像等の機能画像のイメージングは通常実施されない。従って、骨や関節を撮像部位とする撮像条件には、MR信号の時間的な収集効率が良好なEPIシーケンスの傾斜磁場波形又はTUNE3の傾斜磁場波形を、適切な波形として関連付けることができる。
【００６６】
更に、頭部のイメージングを行う場合には、撮像目的に応じて適切な傾斜磁場の波形を変えることができる。例えば、脳組織の縦緩和(T1)強調画像データや横緩和(T2)強調画像データを収集する場合には、拍動の影響を抑制することが重要である。一方、静止する部位がMR信号の収集対象である。そこで、FC用傾斜磁場パルスGfcの効果が得られ、かつデータ収集効率が良好なTUNE3の傾斜磁場波形を、撮像部位を脳組織とする撮像条件と関連付けることができる。
【００６７】
一方、頭部におけるDiffusion画像やPerfusion画像等の機能画像をイメージングする場合には、動きを有する部位の撮像に該当するか否かの画一的な判断が困難である。但し、TRの調整によって動きの影響を低減することができる。そこで、TRの値及び頭部のDiffusion画像又はPerfusion画像という撮像条件及び撮像目的を、通常のEPIシーケンスの傾斜磁場波形を関連付けることができる。
【００６８】
このように撮像条件や撮像目的等のMR信号の位相シフトに影響を与える多種多様な条件に対応する適切なRO方向の傾斜磁場パルスの波形を、図３に示す各波形及び他の提案されている様々な波形から予め選択して関連付けることができる。そして、互いに異なる複数の条件に対応するRO方向における傾斜磁場パルスの複数の波形が傾斜磁場波形記憶部４４に保存されると、入力装置３３から入力された条件の特定情報に基づくRO方向における傾斜磁場パルスの波形の自動設定が可能となる。
【００６９】
すなわち、傾斜磁場波形選択部４０Ａおいて、フローや動きによるMR信号の位相ずれの度合いの指標となる撮像部位や撮像パラメータ等の撮像条件及び撮像目的に応じたFC用傾斜磁場パルスGfcの波形を傾斜磁場波形記憶部４４から自動選択することが可能となる。換言すれば、傾斜磁場波形選択部４０Ａによる、撮像条件及び撮像目的の一方又は双方に基づくFC用傾斜磁場パルスGfcの波形のチューニングが可能となる。
【００７０】
具体的には、表示装置３４に表示されたパルスシーケンス等の撮像条件の編集画面を通じて、入力装置３３の操作によって撮像部位等の撮像条件や撮像目的を撮像条件設定部４０に入力すると、傾斜磁場波形選択部４０Ａが撮像条件及び撮像目的に対応するRO方向における傾斜磁場パルスの波形を自動設定するように構成できる。
【００７１】
この場合、例えばRO方向における傾斜磁場パルスの波形のデフォルト値を通常のEPIシーケンスの波形とし、フローや動きの影響がある特定の撮像条件や撮像目的が撮像条件設定部４０に入力された場合に傾斜磁場波形選択部４０Ａが傾斜磁場パルスの波形を、傾斜磁場波形記憶部４４から取得した撮像条件や撮像目的に応じたFC用傾斜磁場パルスGfcの印加を伴う傾斜磁場パルスの波形に切換えるようにすることができる。或いは、RO方向における傾斜磁場パルスの波形のデフォルト値を定めずに、撮像条件や撮像目的が撮像条件設定部４０に入力された場合に傾斜磁場波形選択部４０Ａが撮像条件や撮像目的に応じた傾斜磁場パルスの波形を傾斜磁場波形記憶部４４から選択してイメージング用の撮像条件として設定するようにしてもよい。
【００７２】
ここまでは、RO方向における傾斜磁場パルスの波形を、イメージング用の複数のMRエコー信号の位相差に影響を与える条件に基づいて自動設定する場合について説明したが、前述のように、予め収集された複数のMR信号の位相差情報に基づいてRO方向における傾斜磁場パルスの波形を自動設定することもできる。
【００７３】
プレスキャン条件設定部４０Ｂは、位相差情報の取得対象となる複数のMRエコー信号を収集するためのプレスキャンの条件を設定する機能を有する。また、位相差取得部４０Ｃは、プレスキャンによって収集された複数のMR信号の位相差を位相差情報として取得する機能を有する。更に、傾斜磁場波形選択部４０Ａは、位相差取得部４０ＣからMR信号の位相差情報を取得した場合には、位相差情報に基づいてRO方向における傾斜磁場パルスの波形を自動設定するように構成されている。
【００７４】
ここでは、プレスキャンの条件及びプレスキャンによって取得される位相差情報として２通りの条件及び位相差情報を例示する。
【００７５】
図４は、図２に示すプレスキャン条件設定部４０Ｂにおいて設定されるプレスキャン用の撮像条件の一例を示す図である。
【００７６】
図４(A)及び(B)において各横軸は時間を示す。また、図４(A)は簡易なプレスキャンの条件の例を、図４(B)は位相差情報を高精度に取得するためのプレスキャンの条件の例を、それぞれ示す。
【００７７】
図４(A)に示すようにプレスキャンは、PE用傾斜磁場パルスの印加を行わない通常のEPIシーケンス、つまり励起パルスの印加に続いてRO用傾斜磁場を繰返し反転して印加することによって複数のMR信号を収集するパルスシーケンスによるスキャンとすることができる。PE用傾斜磁場パルスの印加を行わない通常のEPIシーケンスによりプレスキャンを行うと、ｋ空間の中心軸に投影されたMR信号のプロジェクションデータが得られる。そして、位相差取得部４０Ｃは、収集されたｋ空間における複数のMR信号の位相差を位相差情報として取得することができる
【００７８】
位相差を取得するためには、少なくとも２つのMR信号がプロジェクションデータとして収集されることが必要である。３つ以上のMR信号を収集する場合には、基準となるMR信号に対する各MR信号の位相差を求める方法と、時間的に隣接する２つのMR信号間における位相差を順次求める方法とがある。２次以上の傾斜磁場モーメントの効果が反映される点などを考慮すると、時間的に隣接する２つのMR信号間における位相差を順次求める方法が精度上好適である。３つ以上のMR信号を収集する場合には、複数の位相差の平均値や中間値等の代表値をMR信号の位相差と定義することができる。そして、収集対象となるMR信号の数を増やすことによって、位相差の算出精度を向上させることができる。
【００７９】
図４(A)に示すプレスキャンによってMR信号の位相差が取得された場合には、傾斜磁場波形選択部４０Ａは、位相差の値に応じてイメージング用の複数のMR信号のRO方向に繰返し印加される傾斜磁場の波形を設定することができる。
【００８０】
例えば、閾値処理によって位相差の値が十分に小さいと判定される場合には、動きやフローの影響による位相シフトが小さいということになる。従って、イメージングスキャンも通常のEPIシーケンスで実行することができる。このため、イメージング用に印加される傾斜磁場の波形は、通常のEPIシーケンスにおける傾斜磁場の波形に設定することができる。
【００８１】
逆に、閾値処理によって位相差の値が中程度又は大きいと判定される場合には、動きやフローの影響による位相シフトを低減するためにFC用傾斜磁場パルスGfcの印加が望ましい。そこで、位相差の程度に応じたFC用傾斜磁場パルスGfcの印加を伴う片エコーEPIシーケンスにおける傾斜磁場の波形をイメージング用に印加される傾斜磁場の波形に設定することができる。つまり、位相差の結果に基づいて、通常のEPIシーケンスから片エコーEPIシーケンスへの切換え及びFC用傾斜磁場パルスGfcのチューニングを簡易に行うことができる。
【００８２】
一方、図４(B)に示すプレスキャンでは、RO方向に印加される傾斜磁場の波形が互いに異なる複数のEPIシーケンスが順次実行される。すなわち、通常のEPIシーケンス及びFC用傾斜磁場パルスGfcの波形が互いに異なるTUNE1からTUNEn(nは自然数)までの複数の片エコーEPIシーケンスがプレスキャン用のシーケンスに設定される。また、各EPIシーケンスにおいて、PE用傾斜磁場パルスの印加は設定されない。
【００８３】
従って、図４(B)に示すプレスキャンでは、互いに異なる波形を有する複数の傾斜磁場を、それぞれ励起パルスの印加に続いてRO方向に繰返し印加することによって異なる傾斜磁場の波形にそれぞれ対応する複数のMR信号がプロジェクションデータとして収集される。
【００８４】
この場合、位相差取得部４０Ｃは、傾斜磁場の異なる波形ごとの複数のMR信号の位相差を位相差情報として取得することができる。すなわち、通常のEPIシーケンスによって収集されたMR信号の位相差及び各波形のFC用傾斜磁場パルスGfcを印加して収集されたMR信号の位相差が位相差情報として取得される。尚、位相差自体の算出方法については図４(A)に示すプレスキャンの場合と同様である。従って、各EPIシーケンスによって、それぞれ少なくとも２つのMR信号が収集される。
【００８５】
そして、傾斜磁場波形選択部４０Ａは、位相差が最小となる傾斜磁場の波形を、イメージング用の複数のMR信号のRO方向に印加される傾斜磁場の波形に設定することができる。
【００８６】
このようなプレスキャンの実行によって位相差情報を取得するようにすれば、MR信号の位相に影響を与える多数のパラメータを考慮することなく、実際にパラメータが反映されたMR信号の位相差を確認することが可能である。従って、より確実に傾斜磁場の波形の最適化を行うことができる。
【００８７】
上述したような傾斜磁場波形選択部４０Ａ、プレスキャン条件設定部４０Ｂ及び位相差取得部４０Ｃの各機能によって、撮像条件設定部４０には、複数のMR信号の位相差情報又はイメージング用に収集される複数のMR信号の位相差に影響を与える条件に対応する適切な波形を有する傾斜磁場を、励起パルスの印加に続いてRO方向に繰返し印加することによってイメージング用の複数のMR信号を収集する撮像条件を設定する機能が備えられる。
【００８８】
一方、データ処理部４１は、イメージングスキャンによって収集されたイメージング用の複数のMR信号に基づいて画像データを生成する機能を有する。より具体的には、データ処理部４１は、イメージングスキャンによって収集されたMR信号をシーケンスコントローラ３１から取得してｋ空間データ記憶部４２に形成されたｋ空間に配置する機能、ｋ空間データ記憶部４２からｋ空間データを取り込んでフーリエ変換(FT: Fourier transform)を含む画像再構成処理を施すことにより画像データを再構成する機能、再構成して得られた画像データを画像データ記憶部４３に書き込む機能、画像データ記憶部４３から取り込んだ画像データに必要な画像処理を施して表示装置３４に表示させる機能を有する。
【００８９】
次に磁気共鳴イメージング装置２０の動作及び作用について説明する。
【００９０】
図５は、図１に示す磁気共鳴イメージング装置２０によるイメージングの流れを示すフローチャートである。
【００９１】
まず予め寝台３７に被検体Ｐがセットされ、静磁場電源２６により励磁された静磁場用磁石２１(超伝導磁石)の撮像領域に静磁場が形成される。また、シムコイル電源２８からシムコイル２２に電流が供給されて撮像領域に形成された静磁場が均一化される。
【００９２】
そして、ステップＳ１において、入力装置３３の操作によってRO方向に印加される傾斜磁場Groの波形の決定方法が撮像条件設定部４０に入力される。すなわち、撮像条件の設定画面を通じて、RO方向に印加される傾斜磁場の波形Groを、プレスキャンの実行によって決定するのか或いは撮像条件や撮像目的に基づいて決定するのかを指示する情報が撮像条件設定部４０に入力される。
【００９３】
プレスキャンの実行によって決定する方法が選択された場合には、ステップＳ２の判定において撮像条件設定部４０はYESと判定する。そして、ステップＳ３において、プレスキャン条件設定部４０Ｂは、図４に示すようなプレスキャンの条件を設定し、設定された条件に従ってプレスキャンが実行される。この結果、プレスキャンのタイプに応じたMR信号の位相差が位相差取得部４０Ｃによって取得される。
【００９４】
尚、図４(A)及び(B)に示すようなプレスキャンのタイプの選択も、撮像条件の設定画面を通じた入力装置３３の操作によって行うことができる。すなわち、プレスキャンのタイプの選択情報をプレスキャン条件設定部４０Ｂに入力することによって、所望のプレスキャンのタイプを選択することができる。
【００９５】
次に、ステップＳ４において、傾斜磁場波形選択部４０Ａは、プレスキャンよって取得されたMR信号の位相差に基づいて、MR信号の位相差がより小さくなるような傾斜磁場の波形Groをイメージング用の傾斜磁場の波形Groに設定する。
【００９６】
一方、ステップＳ１において、入力装置３３の操作によって撮像条件及び／又は撮像目的に基づく傾斜磁場の波形Groの設定が撮像条件設定部４０に指示された場合には、ステップＳ２の判定において撮像条件設定部４０はNOと判定する。
【００９７】
そして、ステップＳ５において、傾斜磁場波形選択部４０Ａは、撮像条件の設定画面を通じた入力装置３３の操作によって撮像条件設定部４０に入力された撮像条件及び撮像目的の少なくとも一方に対応する適切な傾斜磁場の波形Groを傾斜磁場波形記憶部４４から選択する。更に、傾斜磁場波形選択部４０Ａは、選択した傾斜磁場の波形Groをイメージング用の傾斜磁場の波形Groに設定する。
【００９８】
次に、ステップＳ６において、撮像条件設定部４０は、イメージング用に設定された傾斜磁場の波形Groを組み込んだマルチエコーデータ収集用のパルスシーケンスを撮像条件として設定する。すなわち、イメージング用に設定された波形を有する傾斜磁場を繰返し印加することによってイメージングデータを収集する撮像条件が撮像条件設定部４０により設定される。更に、その他の撮像条件が撮像条件設定部４０により設定される。例えば、撮像目的によってはECG信号等の同期信号を用いた同期イメージングの撮像条件が設定される。
【００９９】
次に、ステップＳ７において、シーケンスコントローラ３１や静磁場用磁石２１等のスキャンを実行するための磁気共鳴イメージング装置２０の構成要素によって、撮像条件に基づくイメージングスキャンが実行される。
【０１００】
より具体的には、入力装置３３から撮像条件設定部４０にスキャン開始指示が与えられると、撮像条件設定部４０はパルスシーケンスを含む撮像条件をシーケンスコントローラ３１に出力する。そうすると、シーケンスコントローラ３１は、パルスシーケンスに従って傾斜磁場電源２７、送信器２９及び受信器３０を駆動させることにより被検体Ｐがセットされた撮像領域に傾斜磁場を形成させるとともに、RFコイル２４からRF信号を発生させる。
【０１０１】
このため、被検体Ｐの内部における核磁気共鳴により生じたMR信号が、RFコイル２４により受信されて受信器３０に与えられる。受信器３０は、MR信号に所要の信号処理を実行した後、A/D (analog to digital)変換することにより、デジタルデータのMR信号である生データを生成する。受信器３０は、生成した生データをシーケンスコントローラ３１に与える。シーケンスコントローラ３１は、生データをコンピュータ３２に出力する。そうすると、データ処理部４１は、イメージングスキャンによって収集されたイメージング用の複数のMR信号に基づいて画像データを生成する。
【０１０２】
ここで、画像データの生成に用いられたMR信号は、プレスキャンによって取得された位相差情報又は撮像条件や撮像目的等の位相に影響を与える条件に応じて適切にチューニングされたRO方向の傾斜磁場パルスの印加によって収集されたものである。従って、フローや動きの影響が低減された良好な画質を有する画像データを生成することができる。そして、生成された画像は表示装置３４に表示させて診断に供することができる。
【０１０３】
つまり以上のような磁気共鳴イメージング装置２０は、フローや動きの影響を低減するために、プレスキャンによって取得された位相差情報又は撮像条件や撮像目的等の位相に影響を与える条件に応じてマルチエコーデータ収集シーケンスにおけるFC用傾斜磁場パルスGfcの波形をチューニングできるようにしたものである。より具体的には、磁気共鳴イメージング装置２０は、通常のEPIシーケンスと片エコーEPIシーケンスとの間における切換え及び片エコーEPIシーケンスにおいて印加されるFC用傾斜磁場パルスGfcの波形の切換えを、プレスキャンによって取得された位相差情報又は撮像条件や撮像目的等の位相に影響を与える条件に応じて自動的に行えるようにしたものである。
【０１０４】
このため、磁気共鳴イメージング装置２０によれば、フローや動きの影響の抑制に重要なFC用傾斜磁場パルスGfcの波形を最適化することができる。すなわち、フローや動きの影響が大きい場合には、FC用傾斜磁場パルスGfcの効果が大きくなるようにFC用傾斜磁場パルスGfcの印加時間の割合を増加させる一方、フローや動きの影響が小さい場合には、FC用傾斜磁場パルスGfcの印加時間の割合を減少させることによってスキャン時間を短縮することができる。この結果、フローや動きの有無に依らず良好な画質を維持し、かつ短時間でイメージングを行うことが可能となる。
【０１０５】
以上、特定の実施形態について記載したが、記載された実施形態は一例に過ぎず、発明の範囲を限定するものではない。ここに記載された新規な方法及び装置は、様々な他の様式で具現化することができる。また、ここに記載された方法及び装置の様式において、発明の要旨から逸脱しない範囲で、種々の省略、置換及び変更を行うことができる。添付された請求の範囲及びその均等物は、発明の範囲及び要旨に包含されているものとして、そのような種々の様式及び変形例を含んでいる。
【符号の説明】
【０１０６】
２０  磁気共鳴イメージング装置
２１  静磁場用磁石
２２  シムコイル
２３  傾斜磁場コイル
２４  RFコイル
２５  制御系
２６  静磁場電源
２７  傾斜磁場電源
２８  シムコイル電源
２９  送信器
３０  受信器
３１  シーケンスコントローラ
３２  コンピュータ
３３  入力装置
３４  表示装置
３５  演算装置
３６  記憶装置
３７  寝台
３８  ECGユニット
４０  撮像条件設定部
４０Ａ  傾斜磁場波形選択部
４０Ｂ  プレスキャン条件設定部
４０Ｃ  位相差取得部
４１  データ処理部
４２  ｋ空間データ記憶部
４３  画像データ記憶部
４４  傾斜磁場波形記憶部
Ｐ  被検体
【図１】
0006449374.tif 000002
【図２】
0006449374.tif 000003
【図３】
0006449374.tif 000004
【図４】
0006449374.tif 000005
【図５】
0006449374.tif 000006